(57)【要約】【課題】  高電圧供給部としての陽極引出線が形成する電界により電子源部の電界に与える影響を遮蔽することにより、電子源からの電子ビームの放出特性の安定化を図り、高品位表示を実現可能とする画像表示装置を提供する。【解決手段】  前面基板２の内表面に形成されたメタルバック１７に電気的に接触された陽極端子１４及びこの陽極端子１４に一端側が接続され、他端側が貫通孔７を貫通して排気管４と気密封着された陽極引出線１８を有し、メタルバック１７と画像信号配線８との間に陽極引出線１８から発生する電界を遮蔽する電界遮蔽体１９を配設する構成とすることにより、陽極引出線１８が形成する電界を遮蔽できる。【選択図】      図３
2007141675.tif 000002
【特許請求の範囲】
【請求項１】
第１の方向に延在してこの第１の方向と交差する第２の方向に並設された多数の画像信号配線と、前記画像信号配線を覆って形成された絶縁膜と、前記絶縁膜上で前記第２の方向に延在して前記第１の方向に並設された多数の走査信号配線と、前記画像信号配線と前記走査信号配線との交差部付近に設けられた電子源とを有する背面基板と、
前記背面基板の前記電子源から取り出される電子の励起で発光する複数色の蛍光体層及び陽極電極を有し、前記背面基板と所定の間隔をもって対向する前面基板と、
前記背面基板と前記前面基板との間で表示領域を周回して介挿され、前記所定の間隔を保持する枠体と、
前記枠体の端面と前記前面基板及び背面基板とをそれぞれ気密封着する封着部材と、
前記背面基板に設けられた貫通孔に連通して配置された排気孔と、
を有し、前記枠体の端面と前記前面基板及び背面基板とをそれぞれ気密封着してなる画像表示装置であって、
前記陽極電極の一部に電気的に接触された陽極端子及び当該陽極端子に一端側が接続され、他端側が前記貫通孔を貫通して前記排気管と気密封着された陽極引出線を有し、前記陽極引出線に最近接して前記画像信号配線と前記陽極電極との間に電界遮蔽体を介挿したこと特徴とする画像表示装置。
【請求項２】
第１の方向に延在してこの第１の方向と交差する第２の方向に並設された多数の画像信号配線と、前記画像信号配線を覆って形成された絶縁膜と、前記絶縁膜上で前記第２の方向に延在して前記第１の方向に並設された多数の走査信号配線と、前記画像信号配線と前記走査信号配線との交差部付近に設けられた電子源とを有する背面基板と、
前記背面基板の前記電子源から取り出される電子の励起で発光する複数色の蛍光体層及び陽極電極を有し、前記背面基板と所定の間隔をもって対向する前面基板と、
前記背面基板と前記前面基板との間で表示領域を周回して介挿され、前記所定の間隔を保持する枠体と、
前記枠体の端面と前記前面基板及び背面基板とをそれぞれ気密封着する封着部材と、
を有し、前記支持体の端面と前記前面基板及び背面基板とをそれぞれ気密封着してなる画像表示装置であって、
前記陽極電極の一部に電気的に接触された陽極端子及び当該陽極端子に一端側が接続され、他端側が前記背面基板を貫通して前記背面基板と気密封着された陽極引出線を有し、前記陽極引出線に最近接して前記画像信号配線と前記陽極電極との間に電界遮蔽体を介挿したこと特徴とする画像表示装置。
【請求項３】
前記電界遮蔽体は、導電性フリットガラスを介して前記画像信号配線と前記陽極電極との間に接着固定されたことを特徴とする請求項１または請求項２に記載の画像表示装置。
【請求項４】
前記電界遮蔽体は、約１０8〜１０11Ω・ｃｍの抵抗値を有することを特徴とする請求項１乃至請求項３の何れかに記載の画像表示装置。
【請求項５】
前記電界遮蔽体は、ガラス材から形成されたことを特徴とする請求項１乃至請求項４の何れかに記載の画像表示装置。
【請求項６】
前記電界遮蔽体は、セラミック材から形成されたことを特徴とする請求項１乃至請求項４の何れかに記載の画像表示装置。
【発明の詳細な説明】
【技術分野】
【０００１】
本発明は、平板状の画像表示装置に係り、特に表示画面上において高電圧供給部付近に発生する輝度斑を改善した画像表示装置に関するものである。
【背景技術】
【０００２】
高輝度、高精細に優れたディスプレイデバイスとして、従来からカラー陰極線管が広く用いられている。しかし、近年の情報処理装置やテレビ放送の高画質化に伴い、高輝度、高精細の特性をもつと共に軽量、省スペースの平面型画像表示装置（フラット・パネル・ディスプレイ、ＦＰＤ）の要求が高まっている。
【０００３】
その典型例として液晶表示装置、プラズマ表示装置等が実用化されている。また、特に高輝度化が可能なものとして、電子源から真空への電子放出を利用した自発光型表示装置（例えば、電子放出型画像表示装置や電界放出型画像表示装置等と称されるもの）や低消費電力を特徴とする有機ＥＬディスプレイ等、種々の平面型画像表示装置の実用化が図られている。
【０００４】
平面型画像表示装置の中、自発光型のフラット・パネル・ディスプレイでは、電子源をマトリクス状に配置した構成が知られている。
【０００５】
自発光型のフラット・パネル・ディスプレイでは、その冷陰極にスピント型、表面伝導型、カーボンナノチューブ型、金属−絶縁体−金属を積層したＭＩＭ（Metal-Insulator-Metal）型、金属−絶縁体−半導体を積層したＭＩＳ（Metal-Insulator-Semiconductor）型または金属−絶縁体−半導体−金属型等の電子源などが用いられる。
【０００６】
平面型画像表示装置は、上記のような電子源を備えた背面基板と、蛍光体層とこの蛍光体層に電子源から放出される電子を射突させるための加速電極を形成する陽極電極を備えた前面基板とを対向させ、両基板の対向する内部空間を所定の真空状態に封止する封止枠となる枠体とで構成される表示パネルが知られている。この表示パネルに駆動回路を組み合わせて動作させる。
【０００７】
ＭＩＭ型電子源を有する画像表示装置では、第１の方向に延在して第１の方向と交差する第２の方向に並設された多数の第１配線（例えば、画像信号配線、カソード配線）と、この第１配線を覆って形成された絶縁膜と、この絶縁膜上で前記第２の方向に延在して前記第１の方向に並設された多数の第２配線（例えば、走査信号配線、ゲート配線）と、第１配線と第２配線との交差部付近に設けられた電子源とを有する背面基板を備える。この背面基板は絶縁材からなる基板を有し、この基板上に第１配線に繋がる第１電極、第２配線に繋がる第２電極が形成されている。
【０００８】
この構成で前記走査信号配線には前記第２の方向に走査信号が順次印加される。また、この基板上には走査信号配線と画像信号配線との各交差部に上記の電子源が設けられ、これら両配線と電子源とは給電電極で接続され、電子源に電流が供給される。この背面基板と対向して、前記対向する内面に複数色の蛍光体層と高電圧供給電極（陽極電極、アノード電極）とを備えた前面基板を有している。前面基板は、ガラスを好適とする光透過性の材料で形成される。そして、両基板の貼り合せ内周縁に封止枠となる枠体を介挿して封止し、当該背面基板と前面基板及び支持体で形成される内部を真空にして構成される。
【０００９】
電子源は前述のように第１配線と第２配線の交差部に有し、第１配線と第２配線との間の電位差で電子源からの電子の放出量（放出のオン・オフを含む）が制御される。放出された電子は、前面基板に有する陽極に印加される高電圧で加速され、同じく前面基板に有する蛍光体層に射突して励起することで当該蛍光体層の発光特性に応じた色光で発色する。
【００１０】
個々の電子源は対応する蛍光体層と対になって単位画素を構成する。通常は、赤（Ｒ）、緑（Ｇ）、青（Ｂ）の３色の単位画素で一つの画素（カラー画素、ピクセル）が構成される。なお、カラー画素の場合、単位画素は副画素（サブピクセル）とも呼ばれる。
【００１１】
前述したような平面型の画像表示装置では、一般的に背面基板と前面基板間の前記枠体で囲繞された表示領域内に複数の間隔保持部材（以下スペーサと称する）が配置固定され、前記両基板間の間隔を前記枠体と協働して所定間隔に保持している。このスペーサは、一般にはガラスやセラミックスなどの絶縁材で形成した板状体からなり、通常、複数の画素ごとに画素の動作を妨げない位置に設置される。
【００１２】
また、封止枠となる枠体は背面基板と前面基板との内周縁にフリットガラスなどの封着部材で固着され、この固着部が気密封着され封止領域となっている。両基板と枠体とで形成される表示器内部の真空度は、例えば１０-3〜１０-5Ｐａ程度である。
【００１３】
枠体と両基板との封止領域には、背面基板に形成された第１配線に繋がる第１配線引出端子や第２配線に繋がる第２配線引出端子が貫通する。通常、封止枠となる枠体はフリットガラス等の封着部材で前記背面基板及び前面基板に固着される。第１配線配線引出端子や第２配線引出端子が枠体と背面基板の気密封着部である封止領域を通して引き出されている。
【００１４】
また、他の電圧供給手段としては、例えば下記「特許文献１」には、前面パネルの内面に形成された陽極電極の陽極端子に一端を押圧接触させた陽極リードを、その他端をゲッター室に気密貫通させて外部に引き出すように構成した接続手段を設けた電界放出型表示装置が開示されている。また、下記「特許文献２」には、前面パネルの内面に形成された陽極電極の取り出し配線に一端を接続した陽極リードを、その他端を背面パネルに気密貫通させて外部に引き出すように構成した画像形成装置が開示されている。
【００１５】
また、下記「特許文献３」及び下記「特許文献４」には、前面パネルの内面に形成された陽極電極の陽極端子に一端を接続させた陽極リードを、隅部に貫通口を設けた背面パネルの貫通口内に絶縁部材を介して挿通させて外部に引き出すように構成した画像形成装置が開示されている。また、下記「特許文献５」には、前面パネルの内面に形成された陽極電極の陽極端子に一端を接続させた陽極リードを、背面パネルの貫通口に設けた絶縁体内に挿通させて外部に引き出すように構成した画像表示装置が開示されている。さらに、下記「特許文献６」には、前面パネルの内面に形成された陽極電極の陽極端子に一端を接続させた陽極リードを、表示領域外に貫通口を設けた前面パネルの貫通口内に挿通させて外部に引き出すように構成した画像形成装置が開示されている。
【００１６】
【特許文献１】特開平１０−３１４３３号公報
【特許文献２】特開平１０−３２６５８１号公報
【特許文献３】特開２０００−２６０３５９号公報
【特許文献４】特開２００３−９２０７５号公報
【特許文献５】特開２０００−３１１６３６号公報
【特許文献６】特開２００３−３２８８５５号公報
【発明の開示】
【発明が解決しようとする課題】
【００１７】
上記従来技術において、平面型画像表示装置では前面基板側から高電圧を導入する構成が採られているが、前面基板は映視像面となるため、背面基板側から導入し管内で前面基板に設けられた陽極電極に接続する構成が一般的である。この導入された高電圧を前面基板の陽極電極に接続印加する手段は、前記の特許文献にも開示されているように例えば背面基板側に固定されたアノードリードの先端を前面基板内表面に被着形成された陽極薄膜に圧接する構成が採られている。
【００１８】
この構成は、平面型画像表示装置では両基板間の間隔が数ｍｍ〜十数ｍｍ程度に設定されるため優れた手段であるが、陽極薄膜とアノードリードとの接触部が経時劣化によって接触部の陽極薄膜が消失してしまう問題があり、このために電気的接続の信頼性の確保が困難となって高電圧導入が不安定となり、高品位表示、長寿命の画像表示装置の提供に問題があってその解決策が求められていた。
【００１９】
また、平面型画像表示装置は、電子源から放出された電子が、高電圧が印加された陽極電極に引かれ、陽極電極に向かって直進し、電子源に対向するように配置された蛍光体層に当り、蛍光体層が発光する。陽極電極には電子源から放出された電子ビームを引っ張るために約１ｋＶ〜１５ｋＶ程度の高電圧を印加する必要がある。
【００２０】
画像表示装置は、その特性上、表示面となる陽極側から高電圧を印加することは困難であり、また、側面または背面側にあたるカソード電極面から高電圧を引き出す必要がある。しかしながら、電子源と高電圧引出部との距離が近いと、高電圧の影響により電子源と蛍光体層との間の電界が歪み、電子源から放出された電子ビームが偏向され、当該電子源に対応する蛍光体層に直進する電子ビームが最適に当たることができず、表示画面上における高電圧供給部付近で輝度斑が発生し、表示品位を低下させ、高品位表示の画像表示装置の提供に課題があってその解決策が求められていた。
【００２１】
また、アノードリードは、電子源と蛍光体層との間の電界に影響しないように電子源からの距離を大きくとる必要がある。しかしながら、アノードリードと電子源との間の距離を大きくすると、表示パネルの大きさが必要な表示画面領域より極めて大きくなる。さらに電子源に画像信号電圧を供給する配線等の配置が困難になるという課題があった。
【００２２】
したがって、本発明は、前述した従来の課題を解決するためになされたものである。本発明は、高電圧供給部としてのアノードリードが形成する電界により電子源部の電界に与える影響を遮蔽することにより、電子ビーム放出性の安定化を図り、高品位表示を実現可能とする画像表示装置を提供する。
【課題を解決するための手段】
【００２３】
本発明による画像表示装置は、前面基板の内表面に形成された陽極電極の一部に電気的に接触された陽極端子及び当該陽極端子に一端側が接続され、他端側が背面基板または背面基板に設けられた貫通孔に連通して配置された排気孔を貫通して背面基板と気密封着された陽極引出線を有し、この陽極引出線に最近接して画像信号電極と陽極電極との間に電界遮蔽体を介挿する構成とする。本発明は、陽極引出線が形成する電界が遮蔽され、電子源からの電子ビームの放出特性が安定化されるので、背景技術の課題を解決することができる。
【発明の効果】
【００２４】
本発明による画像表示装置によれば、陽極引出線が形成する電界が電子源の電界に与える影響を遮蔽することにより、電子源からの電子ビームの放出特性が安定化される。結果、本発明は、表示画面上の陽極引出線付近における輝度斑の発生がなくなり、高品位表示が可能で、しかも長寿命の画像表示装置が得られるという極めて優れた効果を有する。
【発明を実施するための最良の形態】
【００２５】
以下、本発明の実施の形態について、実施例の図面を参照して詳細に説明する。
【実施例１】
【００２６】
図１乃至図４は、本発明の画像表示装置の一実施例を説明するための図であり、図１（ａ）は前面基板側から見た平面図、図１（ｂ）は図１（ａ）の側面図、図２は図１の前面基板を取り去って示す背面基板の模式平面図、図３は図１のＡ−Ａ線に沿った模式断面図、図４は図２のＢ―Ｂ線に沿った背面基板の模式断面図とその背面基板と対応する部分の前面基板の模式断面図である。
【００２７】
これら図１乃至図４において、参照符号１は背面基板、２は前面基板であり、これら両基板１、２は厚さ数ｍｍ、例えば約３ｍｍ程度のガラス板から構成されている。３は枠体であり、この枠体３は厚さ数ｍｍ、例えば３ｍｍ程度のガラス板またはフリットガラスの燒結体から構成されている。４は排気管であり、この排気管４は背面基板１に固着されている。枠体３は背面基板１と前面基板２との間の周縁部に周回して介挿され、背面基板１と前面基板２とは例えばフリットガラスなどからなる封着部材５を介して気密封着されている。背面基板１と前面基板２とは重畳方向（Ｚ方向）で同軸配置されている。また、枠体３は表示領域６１を囲んで配置してある。
【００２８】
この枠体３と背面基板１，前面基板２及び封着部材５で囲まれた空間６は、排気管４を介して排気され、例えば１０-3〜１０-5Ｐａ程度の真空を保持している。また、排気管４は背面基板１を貫通して穿設された貫通孔７と略同軸で連通し、前述したように背面基板１の外表面に取り付けられ、排気完了後に封止される。
【００２９】
また、参照符号８は画像信号配線であり、この画像信号配線８は背面基板１の内面に一方向（Ｙ方向）に延在し他方向（Ｘ方向）に並設されている。この画像信号配線８は端部に画像信号配線引出端子８１を有しており、この端子の先端部は支持体３と背面基板１との気密封着部を気密に貫通して背面基板１の端部まで延在している。
【００３０】
また、参照符号９は走査信号配線であり、この走査信号配線９は画像信号配線８上でこれと交差する他方向（Ｘ方向）に延在し、一方向（Ｙ方向）に並設されている。この走査信号配線９は端部に走査信号配線引出端子９１を有しており、この端子の先端部は枠体３と背面基板１との気密封着部を気密に貫通して背面基板１の端部まで延在している。
【００３１】
また、これらの画像信号配線８及び走査信号配線９と貫通孔７とは少なくとも約３ｍｍ以上の間隔が確保できるように設定されている。この寸法より近接すると、電極寸法に変動が生じる恐れがある。
【００３２】
また、参照符号１０は電子源であり、この電子源１０は画像信号配線８と走査信号配線９との各交差部近傍に設けられ、この電子源１０は走査信号配線９及び画像信号配線８と接続電極１１及び接続電極１１Ａによりそれぞれ接続されている。また、画像信号配線８と、電子源１０及び走査信号配線９との間には層間絶縁膜ＩＮＳが配置されている。
【００３３】
ここで、画像信号配線８は例えばＡｌ／Ｎｄ膜等が用いられ、走査信号配線９は例えばＩｒ／Ｐｔ／Ａｕ膜等が用いられる。
【００３４】
また、参照符号１２はスペーサであり、このスペーサ１２はセラミックス材から構成されており、長方形の薄板形状に整形される。この実施例では走査信号配線９上に１本おきに直立配置され、接着部材１３により背面基板と前面基板２とを固定している。このスペーサ１２は、通常、複数の画素毎に画素の動作を妨げない位置に設置される。
【００３５】
このスペーサ１２の寸法は、基板寸法、支持体３の高さ、基板素材、スペーサの配置間隔、スペーサ素材等により設定されるが、一般的には、高さは支持体３と略同一寸法、厚さは数十μｍ〜数ｍｍ以下、長さは約２０ｍｍ乃至２００ｍｍ程度、好ましくは約８０ｍｍ乃至１２０ｍｍ程度が実用的な値となる。また、このスペーサ１２は１０8〜１０9Ω・ｃｍ程度の抵抗値を有している。
【００３６】
参照符号１４は皿状の陽極電極であり、この陽極電極１４はクロム合金等から構成され、前面基板２の内面に形成されているメタルバック１７の後述する位置に電気的に接触させて配置されている。すなわち、陽極端子１４の接触位置は、背面基板１と前面基板２とをＺ軸方向に同軸で重畳した際、表示領域６内でかつ正規の表示に支障を与えない支持体３に近接した位置に配置された排気管４と略同軸で前面基板２に接触配置されている。
【００３７】
また、この陽極端子１４が接触配置された前面基板２の同一面内に赤色、緑色、青色用の蛍光体層１５が遮光用のＢＭ（ブラックマトリクス）膜１６で区画されて配置され、さらにこれらを覆うように例えば蒸着方法等により形成された金属薄膜からなる陽極電極であるメタルバック１７が配置され、これらにより蛍光面が構成されている。
【００３８】
また、参照符号１８は陽極引出線である。この陽極引出線１８はその一端側が弾性材からなるスプリング状に形成され、陽極端子１４に例えば抵抗溶接法等により接続している。他端側１８１は枠体３に略平行に背面基板１側へ延在させ、貫通孔７を挿通し、排気管４と気密封着して外部に引き出されている。この陽極引出線１８は、一端側を弾性力により変形させて陽極端子１４と確実に接触する構造のばね部１８２としている。陽極端子１４は陽極引出線１８に固定しても良く、また、メタルバック１７に固定しても良い。
【００３９】
このばね状構成は、例えば約４５０℃程度の熱処理でも弾性が損なわれない特性が要求される。また、他端側１８２は例えばジュメット線のような熱膨張係数が排気管４と略等しい材料からなる線状構造とし、貫通孔８を挿通した後、排気管４のチップオフ時に同時に気密封着している。
【００４０】
また、参照符号１９は電界遮蔽体である。この電界遮蔽体１９は例えばガラス材またはセラックス材等により板状に形成され、その厚さは、パネルサイズにより異なるが、例えば約１ｍｍ〜３ｍｍ程度の厚さに形成されている。この電界遮蔽体１９は、前面基板２の内面に形成されているメタルバック１７と、背面基板１の内面側に形成されている画像信号配線８との間に配置されている。また、電界遮蔽体１９は、陽極引出線１８に最も近接してこの陽極引出線１８を囲うように図示しない導電性フリットガラスにより接着配置されている。この電界遮蔽体１９の抵抗値は、例えばガラス材またはセラックス材等と略同等の約１０8〜１０11Ω・ｃｍ程度である。
【００４１】
また、蛍光体層１５の蛍光体材料としては、例えば赤色としてＹ2Ｏ2Ｓ：Ｅｕ（Ｐ２２−Ｒ）を、緑色としてＺｎＳ：Ｃｕ，Ａｌ（ｐ−２２Ｇ）を、青色としてＺｎＳ：Ａｇ，Ｃｌ（Ｐ２２−Ｂ）をそれぞれ用いることができる。この蛍光面構成で、電子源１０から放射される電子を加速し、対応する画素を構成する蛍光体層１５に射突させる。これにより、該蛍光体層１５が所定の色光で発光し、他の画素の蛍光体の発光色と混合されて所定の色のカラー画素を構成する。また、メタルバック１７は面状として示してあるが、走査信号配線９と交差して画素列ごとに分割されたストライプ状とすることもできる。
【００４２】
図５及び図６は、図３の一部を拡大して示す本発明の画像表示装置を説明する図であり、図５は背面基板１側から見た模式平面図、図６は図５のＣ−Ｃ線の模式切断図である。これらの図において、前述した図と同一部分には同一符号を付し、その説明は省略してある。
【００４３】
陽極引出線１８は、背面基板１の枠体３の角部に近接し、貫通孔７と略同軸上に配置される。また、陽極引出線１８に固定された陽極端子１４が前面基板２の内表面１ａに形成されているメタルバック１７に接触圧により電気的に接続される。また、ばね部１８２はその弾力性による押圧により陽極電極１４に接触されて接続されても良い。また、この陽極引出線１８に近接してこの陽極引出線１８を囲うように電界遮蔽体１９が配置されている。電界遮蔽体１９はその一端側をメタルバック１７に導電性のフリットガラス２０の接着により電気的に接着固定されている。
【００４４】
この実施例１の構成によれば、電子源１０に近接配置される画像信号配線８と高電圧が供給されるメタルバック１７との間に高抵抗値を有する電界遮蔽体１９を介挿した。この電界遮蔽体１９の一方が高電圧部であるメタルバック１７に接続され、他方が電子源１０と略同電位の低電圧部である画像信号配線８に接続される。電界遮蔽体１９は、高抵抗材料で形成されていることから、電子源１０と蛍光体層１５との間に形成される垂直方向の電位分布と略同等の電位分布となる。さらに、陽極引出線１８が形成する電界の影響が電子源１０と蛍光体層１５との間に形成される電界に影響することを妨げる。よって電子源１０から放出された電子ビームは偏向されることなく、電子源１０に対応する蛍光体層１５に最適に当たることができる。さらに、電子ビームの放出特性が向上し、表示画面上での陽極引出線１８の近傍での輝度斑の発生がなくなる。
【００４５】
また、この構成によれば、陽極引出線１８を電子源１０に近接させて配置することができるので、表示パネルの表示領域６以外の面積を小さくすることができる。さらに、電子源１０に画像信号を供給する画像信号配線８等の配置の裕度を向上させることができる。
【実施例２】
【００４６】
図７は、本発明による画像表示装置の他の実施例を説明するための図であり、図７（ａ）は前面基板２側から見た模式平面図、図７（ｂ），図７（ｃ）及び図７（ｃ）は本発明に係わる電界遮蔽体の他の形状を説明する模式断面図である。図７において、前述した図と同一部分には同一符号を付し、その説明は省略する。
【００４７】
図７（ａ）に示す電界遮蔽体１９は、陽極引出線１８を囲うように筒の一部を切断した略中空状に形成される。一端側がメタルバック１７に導電性フリットガラスにより接着固定され、他端側が画像信号配線８上に導電性フリットガラスにより接着固定される。陽極引出線１８の高電圧の印加により形成される電界が電界遮蔽体１９により確実に遮蔽することができる。
【００４８】
なお、この電界遮蔽体１９は、その形状が上記実施例では、板状または中空状に形成されている場合について説明したが、本発明はこれらの形状に限定されるものではなく、図７（ｂ）に示すように断面が略コ字状の柱体，図７（ｃ）に示すように断面が略Ｌ字状の柱体または図７（ｄ）に示すように断面が略半月状の柱体に形成して陽極引出線１８が形成する電界を遮蔽できる形状であれば良く、特にその形状に限定されるものではない。
【実施例３】
【００４９】
図８は、本発明による画像表示装置のさらに他の実施例を説明する陽極引出線１８の外部への引出構造の要部拡大断面図である。前述した図と同一部分には同一符号を付し、その説明は省略する。前述した実施例１（図３）では、陽極引出線１８は、その他端側１８２を背面基板１側へ延在させ、貫通孔７を挿通した後、排気管４と気密封着して外部に引き出した構造について説明した。本発明はこの封着構造に限定されるものではない。陽極引出線１８の他端側１８２を背面基板１に形成した貫通孔７に挿通した後、この貫通孔７内に封着部材５を充填して固化させて気密封着させる封着構造においても、本発明に係わる電界遮蔽体１９を設置することが可能である。なお、この種の封着構造は、排気管を前面基板側または支持体に配設した構造の画像表示装置においては好適である。
【００５０】
図９は、本発明に係わる画像表示装置を構成する背面基板の内面側から見た要部平面図である。図９において、ガラス板またはセラミックス材などを好適とする背面基板１の主面（前面）には、第１の方向（ｙ方向）に延在して第１の方向と交差する第２の方向（ｘ方向）に並設された複数のデータ線（または画像信号ラインとも称する）ＤＬと、第２の方向（ｘ方向）に延在して第２の方向と交差する第１の方向（ｙ方向）に並設された複数の走査線（走査信号ラインとも称する）ＳＬとを有している。マトリクス状に配置されたこれらのデータ線ＤＬ及び走査線ＳＬの交差部または交差部近傍には電子源が形成されている。
【００５１】
走査線ＳＬは、その一端が走査ドライバＳＤに接続されている。一方、データ線ＤＬはその一端がデータドライバＤＤに接続されている。前面基板は、図中、破線部分に沿って対向して配置される。前面基板２と背面基板１とはその対向領域の外周に沿って接着され、内部ガスを排気して封止される。
【００５２】
図１０は、本発明に係わる画像表示装置を構成する前面基板の内面側から見た要部平面図である。図１０において、透光性ガラス材からなる前面基板２の内面には、図９に示す複数のデータ線ＤＬの長さ方向に沿って赤色蛍光体層ＰＨＲ，緑色蛍光体層ＰＨＧ及び青色蛍光体層ＰＨＢを有する蛍光面ＰＨが形成され、さらにこの蛍光面ＰＨには各赤色蛍光体層ＰＨＲ，緑色蛍光体層ＰＨＧ及び青色蛍光体層ＰＨＢを区画するブラックマトリクス膜ＢＭが形成されている。
【００５３】
図１１は、前面基板２の内面に形成された蛍光面ＰＨの拡大断面図である。図１１において、蛍光面ＰＨを構成する各赤色蛍光体層ＰＨＲ，緑色蛍光体層ＰＨＧ及び青色蛍光体層ＰＨＢはブラックマトリクス膜ＢＭの一部を覆って形成されている。また、この蛍光面ＰＨ上には各赤色蛍光体層ＰＨＲ，緑色蛍光体層ＰＨＧ及び青色蛍光体層ＰＨＢの発光光を効率的に反射させるメタルバック膜ＭＴが形成されている。このメタルバック膜ＭＴには陽極電圧が印加され、陽極電極として機能する。スペーサはブラックマトリクス膜ＢＭ上に配置される。
【００５４】
これにより、順次選択される走査線ＳＬに交差するデータ線ＤＬに画像信号を供給することにより、二次元のフルカラー画像を表示することができる。本構成例の表示パネルを用いることにより、比較的低電圧で表示画像に輝度斑の生じない高品位の画像表示装置が実現される。
【図面の簡単な説明】
【００５５】
【図１】本発明による画像表示装置の一実施例を説明するための図であり、図１（ａ）は前面基板側から見た平面図、図１（ｂ）は図１（ａ）の側面図である。
【図２】図１の前面基板を取り去って示す背面基板の模式平面図である。
【図３】図１のＡ−Ａ線に沿って切断した模式断面図である。
【図４】図２のＢ―Ｂ線に沿って切断した背面基板の模式断面図とその背面基板と対応する部分の前面基板の模式断面図である。
【図５】図３の一部を拡大して示す背面基板側から見た模式平面図である。
【図６】図５のＣ−Ｃ線に沿って切断した模式断面図である。
【図７】本発明による画像表示装置の他の実施例を説明する図であり、図７（ａ）は前面基板側から見た模式平面図、図７（ｂ），図７（ｃ）及び図７（ｃ）は本発明に係わる電界遮蔽体の他の形状を説明する模式断面図である。
【図８】本発明による画像表示装置のさらに他の実施例を説明する陽極引出線の外部引出構造示す要部拡大断面図である。
【図９】本発明による画像表示装置の背面基板の構成を示す要部平面図である。
【図１０】本発明による画像表示装置の前面基板の構成を示す要部平面図である。
【図１１】本発明による画像表示装置の前面基板に形成される蛍光面の構成を示す要部拡大断面図である。
【符号の説明】
【００５６】
１・・・背面基板、２・・・前面基板、３・・・枠体、４・・・排気管、５・・・封着部材、６・・・表示領域、７・・・貫通孔、８・・・画像信号配線、８１・・・画像信号配線引出端子、９・・・走査信号配線、９１・・・走査信号配線引出端子、１０・・・電子源、１１，１１Ａ・・・接続電極、１２・・・間隔保持部材、１３・・・接着部材、１４・・・陽極端子、１５・・・蛍光体層、１６・・・ブラックマトリクス膜、１７・・・メタルバック（陽極電極）、１８・・・陽極引出線、１９・・・電界遮蔽体、２０・・・導電性フリットガラス、ＩＮＳ・・・絶縁膜（層間絶縁膜）。
【図１】
2007141675.tif 000003
【図２】
2007141675.tif 000004
【図３】
2007141675.tif 000005
【図４】
2007141675.tif 000006
【図５】
2007141675.tif 000007
【図６】
2007141675.tif 000008
【図７】
2007141675.tif 000009
【図８】
2007141675.tif 000010
【図９】
2007141675.tif 000011
【図１０】
2007141675.tif 000012
【図１１】
2007141675.tif 000013